(57)【特許請求の範囲】
【請求項１】
複数の機能のうち実行が指示された機能を検出する実行機能検出手段と、その実行機能検出手段により検出された機能の情報を示す機能情報画像を表示する表示手段とを備えた多機能周辺装置において、
前記表示手段は、複数の前記機能情報画像を表示可能である第１領域と、１つの前記機能情報画像を表示かつ操作可能であり前記第１領域より大きい第２領域とに分割可能であり、
前記実行機能検出手段により機能が検出される度に、その検出された機能に対応する機能情報画像を前記表示手段に表示するものであって、
前記複数の機能が同時に実行される場合、その複数の機能のうち１つの機能に対応する前記機能情報画像を前記第２領域に表示し、その他の機能に対応する前記機能情報画像を前記第１領域に表示する表示制御手段と、
前記実行機能検出手段により検出された機能の実行が終了したかを判断する第１判断手段と、
その第１判断手段により実行中の機能が終了したと判断された場合に、前記第２領域に前記機能情報画像が表示された機能の実行が完了したかを判断する第２判断手段とを備え、
前記表示制御手段は、前記第２判断手段により前記第２領域に機能情報画像が表示された機能の実行が終了していないと判断された場合、前記第１判断手段により実行が終了したと判断された機能の機能情報画像を前記第１領域から削除する一方、前記第２判断手段により前記第２領域に機能情報画像が表示された機能の実行が終了したと判断された場合、その機能の機能情報画像を前記第２領域から削除し、前記第１領域に表示されている前記複数の機能情報画像のうち１つを、前記第２領域に表示することを特徴とする多機能周辺装置。
【請求項２】
前記表示制御手段は、前記実行機能検出手段により検出された機能が、既に前記第１領域および第２領域に表示されている機能情報画像の機能と異なる場合のみ実行されることを特徴とする請求項１記載の多機能周辺装置。
【請求項３】
前記表示手段に表示されている機能情報画像の大きさを変更する変更指示が入力されたかを検出する変更指示検出手段を備え、
前記表示制御手段は、その変更指示検出手段により変更指示が入力されたと検出される度に、前記第２領域に表示されている機能情報画像を、前記第１領域に表示し、前記第１領域に表示されている機能情報画像の何れか１つを、前記第２領域に表示することを特徴とする請求項１または２に記載の多機能周辺装置。
【請求項４】
前記第１判断手段により実行中の機能が終了したと判断されるまで、実行中の機能と、その実行中の機能と同時に実行不可能な機能とを記憶する記憶手段と、
その記憶手段に記憶されている機能以外の実行可能な機能を示す画像を生成する第１の画像生成手段と、
その第１の画像生成手段により生成される画像を前記表示手段に表示する表示指示が入力されたかを検出する表示指示検出手段とを備え、
前記表示制御手段は、前記表示指示検出手段により前記表示指示が入力されたと検出された場合に、前記第１の画像生成手段により生成される画像を前記表示手段に表示することを特徴とする請求項１から３のいずれかに記載の多機能周辺装置。
【請求項５】
前記第１判断手段により実行中の機能が終了したと判断されるまで、実行中の機能と、その実行中の機能と同時に実行不可能な機能とを記憶する記憶手段と、
その記憶手段に記憶されている機能と、前記記憶手段に記憶されている機能以外の実行可能な機能とをそれぞれ異なる態様で示す画像を生成する第２の画像生成手段と、
その第２の画像生成手段により生成される画像を前記表示手段に表示する表示指示が入力されたかを検出する表示指示検出手段とを備え、
前記表示制御手段は、前記表示指示検出手段により前記表示指示が入力されたと検出された場合に、前記第２の画像生成手段により生成される画像を前記表示手段に表示することを特徴とする請求項１から３のいずれかに記載の多機能周辺装置。
【請求項６】
前記表示制御手段は、前記表示指示検出手段により前記表示指示が入力されたと検出された場合に、前記第１の画像生成手段により生成される画像または前記第２の画像生成手段により生成される画像と、既に前記表示手段に表示されている機能情報画像とを同時にそれぞれ前記表示手段に表示することを特徴とする請求項４または５に記載の多機能周辺装置。
【請求項７】
前記表示制御手段は、前記表示指示検出手段により前記表示指示が入力されたと検出された場合に、前記第１の画像生成手段により生成される画像または前記第２の画像生成手段により生成される画像を前記第２領域に表示し、既に前記表示手段に表示されている機能情報画像を前記第１領域に表示することを特徴とする請求項６記載の多機能周辺装置。
【請求項８】
前記表示手段は、前記多機能周辺装置の外面のいずれかに配設されており、その配設されている外面よりも小型であることを特徴とする請求項１から７のいずれかに記載の多機能周辺装置。
【発明の詳細な説明】
【技術分野】
【０００１】
本発明は、多機能周辺装置に関するものである。
【背景技術】
【０００２】
従来より、画像を表示する表示領域を複数に分割し、その分割した表示領域毎に異なる画像を表示する表示装置が知られている。特許文献１に記載されている表示装置は、常時、表示領域が左右同じ大きさに２つに分割されており、ユーザは、それぞれの表示領域に対して個別に操作を行うことで、それぞれの表示領域に異なる画像を表示させることができる。また、従来より、ファクシミリ機能、プリンタ機能、スキャナ機能、及び、コピー機能などの複数の機能を搭載した多機能周辺装置が知られている。
【特許文献１】特表２００３−５１８８３１号公報（第０００５段落など）
【発明の開示】
【発明が解決しようとする課題】
【０００３】
この多機能周辺装置に、例えば、特許文献１に記載された表示装置を設け、その表示領域を、多機能周辺装置の機能の数に対応させて分割し、ユーザが分割された各表示領域を参照して、各機能を個別に操作できるようにしたとする。しかし、そうしたとしても、多機能周辺装置に表示装置を設ける場合には、表示装置の大きさが制限されるため、各機能毎に分割された表示領域はそれぞれ小さくなり、表示が見づらかったり、表示装置がタッチパネルと一体である場合は入力しづらいなど、ユーザにとって使い勝手が悪くなるという問題点が生じる。
【０００４】
本発明は、上述した問題点を解決するためになされたものであり、複数の機能が同時に実行される場合でも、ユーザが各機能を容易に操作することができる多機能周辺装置を提供することを目的とする。
【課題を解決するための手段】
【０００５】
この目的を達成するために、請求項１記載の多機能周辺装置は、複数の機能のうち実行が指示された機能を検出する実行機能検出手段と、その実行機能検出手段により検出された機能の情報を示す機能情報画像を表示する表示手段とを備えたものであって、前記表示手段は、複数の前記機能情報画像を表示可能である第１領域と、１つの前記機能情報画像を表示かつ操作可能であり前記第１領域より大きい第２領域とに分割可能であり、前記実行機能検出手段により機能が検出される度に、その検出された機能に対応する機能情報画像を前記表示手段に表示するものであって、前記複数の機能が同時に実行される場合、その複数の機能のうち１つの機能に対応する前記機能情報画像を前記第２領域に表示し、その他の機能に対応する前記機能情報画像を前記第１領域に表示する表示制御手段と、前記実行機能検出手段により検出された機能の実行が終了したかを判断する第１判断手段と、その第１判断手段により実行中の機能が終了したと判断された場合に、前記第２領域に前記機能情報画像が表示された機能の実行が完了したかを判断する第２判断手段とを備え、前記表示制御手段は、前記第２判断手段により前記第２領域に機能情報画像が表示された機能の実行が終了していないと判断された場合、前記第１判断手段により実行が終了したと判断された機能の機能情報画像を前記第１領域から削除する一方、前記第２判断手段により前記第２領域に機能情報画像が表示された機能の実行が終了したと判断された場合、その機能の機能情報画像を前記第２領域から削除し、前記第１領域に表示されている前記複数の機能情報画像のうち１つを、前記第２領域に表示する。
【０００６】
請求項２記載の多機能周辺装置は、請求項１記載の多機能周辺装置において、前記表示制御手段は、前記実行機能検出手段により検出された機能が、既に前記第１領域および第２領域に表示されている機能情報画像の機能と異なる場合のみ実行される。
【０００７】
【０００８】
請求項３記載の多機能周辺装置は、請求項１または２に記載の多機能周辺装置において、前記表示手段に表示されている機能情報画像の大きさを変更する変更指示が入力されたかを検出する変更指示検出手段を備え、前記表示制御手段は、その変更指示検出手段により変更指示が入力されたと検出される度に、前記第２領域に表示されている機能情報画像を、前記第１領域に表示し、前記第１領域に表示されている機能情報画像の何れか１つを、前記第２領域に表示する。
【０００９】
請求項４の多機能周辺装置は、請求項１から３のいずれかに記載の多機能周辺装置において、前記第１判断手段により実行中の機能が終了したと判断されるまで、実行中の機能と、その実行中の機能と同時に実行不可能な機能とを記憶する記憶手段と、その記憶手段に記憶されている機能以外の実行可能な機能を示す画像を生成する第１の画像生成手段と、その第１の画像生成手段により生成される画像を前記表示手段に表示する表示指示が入力されたかを検出する表示指示検出手段とを備え、前記表示制御手段は、前記表示指示検出手段により前記表示指示が入力されたと検出された場合に、前記第１の画像生成手段により生成される画像を前記表示手段に表示する。
【００１０】
請求項５記載の多機能周辺装置は、請求項１から３のいずれかに記載の多機能周辺装置において、前記第１判断手段により実行中の機能が終了したと判断されるまで、実行中の機能と、その実行中の機能と同時に実行不可能な機能とを記憶する記憶手段と、その記憶手段に記憶されている機能と、前記記憶手段に記憶されている機能以外の実行可能な機能とをそれぞれ異なる態様で示す画像を生成する第２の画像生成手段と、その第２の画像生成手段により生成される画像を前記表示手段に表示する表示指示が入力されたかを検出する表示指示検出手段とを備え、前記表示制御手段は、前記表示指示検出手段により前記表示指示が入力されたと検出された場合に、前記第２の画像生成手段により生成される画像を前記表示手段に表示する。
【００１１】
請求項６記載の多機能周辺装置は、請求項４または５に記載の多機能周辺装置において、前記表示制御手段は、前記表示指示検出手段により前記表示指示が入力されたと検出された場合に、前記第１の画像生成手段により生成される画像または前記第２の画像生成手段により生成される画像と、既に前記表示手段に表示されている機能情報画像とを同時にそれぞれ前記表示手段に表示する。
【００１２】
請求項７記載の多機能周辺装置は、請求項６記載の多機能周辺装置において、前記表示制御手段は、前記表示指示検出手段により前記表示指示が入力されたと検出された場合に、前記第１の画像生成手段により生成される画像または前記第２の画像生成手段により生成される画像を前記第２領域に表示し、既に前記表示手段に表示されている機能情報画像を前記第１領域に表示する。
【００１３】
請求項８記載の多機能周辺装置は、請求項１から７のいずれかに記載の多機能周辺装置において、前記表示手段は、前記多機能周辺装置の外面のいずれかに配設されており、その配設されている外面よりも小型である。
【発明の効果】
【００１４】
請求項１記載の多機能周辺装置によれば、表示制御手段は、複数の機能が同時に実行される場合、その複数の機能のうち１つの機能に対応する機能情報画像を第２領域に表示し、その他の機能に対応する機能情報画像を第１領域に表示する。よって、複数の機能が同時に実行される場合には、その実行される各機能の機能情報画像に対応させて表示態様を変えることができるので、各機能の機能情報画像を予め決定された固定位置に表示する場合と比較して、ユーザが、実行される各機能情報画像を見易く使い勝手が良いという効果がある。また、表示制御手段は、第２判断手段により第２領域に機能情報画像が表示された機能の実行が終了していないと判断された場合には、第１判断手段により実行が終了したと判断された機能の機能情報画像を第１領域から削除する。一方、表示制御手段は、第２判断手段により第２領域に機能情報画像が表示された機能の実行が終了したと判断された場合には、その機能の機能情報画像を第２領域から削除し、第１領域に表示されている複数の機能情報画像のうち１つを、第２領域に表示する。つまり、複数の機能が実行されている場合に、実行されていた機能が終了すると、その実行終了した機能の機能情報画面を表示手段（第１領域または第２領域のいずれか）から削除する。よって、表示手段には、実行中の機能の機能情報画像のみを表示することができる。従って、実行中の機能の機能情報画像を更に見易く使い勝手の良いものとすることができるという効果がある。更には、実行が終了した機能が第２領域に表示されていた場合には、第１領域に表示されている実行中の複数の機能のうち、いずれか１つの機能の機能情報画像を、第１領域よりも大きい第２領域に表示させる。よって、ユーザは、大きく表示されて見易くなった機能情報画像に従って、所望する機能の指示を行うことができるという効果がある。
【００１５】
請求項２記載の多機能周辺装置によれば、請求項１記載の多機能周辺装置の奏する効果に加え、表示制御手段は、実行機能検出手段により検出された機能が、既に第１領域および第２領域に表示されている機能情報画像の機能と異なる場合のみ実行されるので、表示手段に同一機能の機能情報画像が複数表示されることを防止することができるという効果がある。
【００１６】
【００１７】
請求項３記載の多機能周辺装置によれば、請求項１または２に記載の多機能周辺装置の奏する効果に加え、変更指示検出手段により、表示手段に表示されている機能情報画像の大きさを変更する変更指示が入力されたかが検出される。表示制御手段は、その変更指示検出手段により変更指示が入力されたと検出される度に、第２領域に表示されている機能情報画像を、第１領域に表示し、第１領域に表示されている機能情報画像の何れか１つを、第２領域に表示する。よって、ユーザは、変更指示を入力することにより、所望する機能の機能情報画像を大きく見易く表示させることができ、その大きく表示されて見易い機能情報画像に従って所望する機能を指示することができるので、操作しやすく使い勝手が良いという効果がある。
【００１８】
請求項４の多機能周辺装置によれば、請求項１から３のいずれかに記載の多機能周辺装置の奏する効果に加え、第１判断手段により実行中の機能が終了したと判断されるまで、実行中の機能と、その実行中の機能と同時に実行不可能な機能とが記憶手段に記憶される。第１の画像生成手段により、記憶手段に記憶されている機能以外の実行可能な機能を示す画像が生成され、表示指示検出手段によって、第１の画像生成手段により生成される画像を表示手段に表示する表示指示が入力されたかが検出される。表示制御手段によって、表示指示検出手段により表示指示が入力されたと検出された場合に、第１の画像生成手段により生成される画像が表示手段に表示される。よって、ユーザは表示指示を入力して、表示手段に実行可能な機能を示す画像を表示させて、実行中の機能と同時に実行可能な機能を確認することができるので使い勝手が良いという効果がある。
【００１９】
請求項５記載の多機能周辺装置によれば、請求項１から３のいずれかに記載の多機能周辺装置の奏する効果に加え、第１判断手段により実行中の機能が終了したと判断されるまで、実行中の機能と、その実行中の機能と同時に実行不可能な機能とが記憶手段に記憶される。第２の画像生成手段により、記憶手段に記憶されている機能と、記憶手段に記憶されている機能以外の実行可能な機能とをそれぞれ異なる態様で示す画像が生成され、表示検出手段によって、第２の画像生成手段により生成される画像を表示手段に表示する表示指示が入力されたかが検出される。表示制御手段によって、表示指示検出手段により表示指示が入力されたと検出された場合に、第２の画像生成手段により生成される画像が表示手段に表示される。よって、ユーザは表示指示を入力して、表示手段に実行可能な機能と実行不可能な機能とをそれぞれ異なる態様で示す画像を表示させて、実行中の機能と同時に実行可能な機能と実行不可能な機能とをそれぞれ確認することができるので使い勝手が良いという効果がある。
【００２０】
請求項６記載の多機能周辺装置によれば、請求項４または５に記載の多機能周辺装置の奏する効果に加え、表示制御手段によって、表示指示検出手段により表示指示が入力されたと検出された場合に、第１の画像生成手段により生成される画像または第２の画像生成手段により生成される画像と、既に表示手段に表示されている機能情報画像とが同時にそれぞれ表示手段に表示される。よって、表示手段に機能情報画像が表示されている場合であっても、即ち、ある機能が実行中であっても、ユーザは表示指示を入力して、表示手段に、既に表示されている機能情報画像と、第１の画像生成手段により生成される画像または第２の画像生成手段により生成される画像とを同時に表示させて、実行中の機能と同時に実行可能な機能または実行不可能な機能を確認することができるので使い勝手が良いという効果がある。
【００２１】
請求項７記載の多機能周辺装置によれば、請求項６記載の多機能周辺装置の奏する効果に加え、表示制御手段は、表示指示検出手段により表示指示が入力されたと検出された場合に、前記第１の画像生成手段により生成される画像または前記第２の画像生成手段により生成される画像を第２領域に表示し、既に表示手段に表示されている機能情報画像を第１領域に表示する。よって、ユーザは、表示手段に大きく表示された第１の画像生成手段により生成される画像または第２の画像生成手段により生成される画像、つまり、大きく表示されて見易い画像により、実行中の機能と同時に実行可能な機能または実行不可能な機能を確認することができるので、使い勝手が良いという効果がある。
【００２２】
請求項８記載の多機能周辺装置によれば、請求項１から７のいずれかに記載の多機能周辺装置の奏する効果に加え、次の効果を奏する。即ち、表示手段は、多機能周辺装置の外面のいずれかに配設されており、その配設されている外面よりも小型であるので、表示手段の大きさが制限される。しかし、請求項８記載の多機能周辺装置によれば、実行される各機能の機能情報画像の表示態様を変えることで、１つの機能の機能情報画像を予め決定された固定位置に表示する場合よりも大きく表示することができる。よって、ユーザが、１つの機能情報画像を見易く使い勝手が良いという効果がある。
【発明を実施するための最良の形態】
【００２３】
以下、本発明の好ましい実施形態について、添付図面を参照して説明する。図１は、本発明の実施形態における多機能周辺装置（以下、「ＭＦＰ（Ｍｕｌｔｉ  Ｆｕｎｃｔｉｏｎ  Ｐｅｒｉｐｈｅｒａｌ）」と称す）１の外観構成を示した斜視図である。
【００２４】
このＭＦＰ１は、電話機能、ファクシミリ機能、ＰＣプリント機能、メディアプリント機能、スキャナ機能、及び、コピー機能などの各種機能を有しており、電話機能による通話やファクシミリ機能によるデータ送信を行うために電話回線網１００（図２参照）と接続されている。
【００２５】
このＭＦＰ１では、実行中の機能に影響を及ぼさない他の機能を、複数同時に実行させることができ、複数の機能が同時に実行される場合は、実行中の各機能の操作画面がそれぞれ同時にＬＣＤ１６に表示される。
【００２６】
ＭＦＰ１の上部には、ファクシミリ機能、スキャナ機能、又は、コピー機能の実行時に原稿を読み取るためのスキャナ２０が配置されている。原稿カバー体８の下側には、原稿を載置するための載置用ガラス板が設けられており、原稿を読み取る場合は、原稿カバー体８を上側に開き、載置用ガラス板上に原稿を載置し、原稿カバー体８を閉じて原稿を固定する。
【００２７】
そして、ユーザにより原稿の読み取りが指示されると、載置用ガラス板の下側に設けられている原稿読取り用のセンサー（図示しない）により原稿紙面の画像が読み取られる。読み取られた画像データは後述のＲＡＭ１３（図２参照）における所定の記憶領域に格納される。
【００２８】
また、筐体内部には記録用紙に画像を印刷する装置として、所謂インクジェットプリンタで構成されたプリンタ２１が内蔵されている。プリンタ２１は、Ｃ（シアン）、Ｍ（マゼンダ）、Ｙ（イエロー）、Ｋ（ブラック）の４色のインクを使用する印刷ヘッド、紙送り装置、回復装置を備えカラー印刷を行う。印刷ヘッドには複数個のノズル（インク吐出口）が設けられており、ノズルからインク吐出を行いながら、紙送り装置で記録用紙を送り画像を記録用紙に印刷する。
【００２９】
原稿カバー体８の前方には、横長形状の操作パネル６が設けられており、操作キー１５、ＬＣＤ１６、タッチパネル１７とを具備する。操作キー１５には、電話機能やファクシミリ機能を利用する場合に電話番号を入力するための数字ボタン１５ａや、ＭＦＰ１の電源のオン／オフを行うための電源ボタン１５ｂなどの各種ボタンが設けられている。ＬＣＤ１６には、ユーザが実行する機能を指示するための機能選択画面（図７（ｂ）参照）が表示されたり、操作手順や実行中の処理の状態が表示されると共に、操作キー１５やタッチパネル１７の押下に対応する情報が表示される。
【００３０】
詳細については後述するが、この機能選択画面（図７（ｂ）参照）には、ユーザがＭＦＰ１に対して、ＰＣプリント機能の実行を指示するＰＣ  ＰｒｉｎｔボタンＢＴ１、メディアプリント機能の実行を指示するＭｅｄｉａ  ＰｒｉｎｔボタンＢＴ２、スキャナ機能の実行を指示するＳｃａｎボタンＢＴ３、電話機能の実行を指示するＰｈｏｎｅボタンＢＴ４、ファクシミリ機能の実行を指示するＦａｘボタンＢＴ５、コピー機能の実行を指示するＣｏｐｙボタンＢＴ６、機能選択画面の表示を取り消すキャンセルボタンＣＢとが主に設けられている。
【００３１】
そして、ＬＣＤ１６の表示面には、入力装置の一種であるタッチパネル１７が配設されている。つまり、ＬＣＤ１６に機能選択画面が表示されている場合に、その機能選択画面に表示されている各ボタンＢＴ１〜ＢＴ６が、ユーザにより指で触れられると、ＬＣＤ１６の表示面に配設されたタッチパネル１７が触れられることとなる。そして、タッチパネル１７により指が触れられた位置が検出されると、ＭＦＰ１により、その触れられた位置と重なる位置のＬＣＤ１６に表示されている各ボタンＢＴ１〜ＢＴ６が押下されたと判断され、ＭＦＰ１によってそれぞれの機能が実行される。
【００３２】
ＭＦＰ１の前面には、メモリカード１４ａ（図２参照）を挿入するためのメモリカードスロット１４が設けられている。メモリカードスロット１４にメモリカード１４ａが挿入されている場合は、ユーザは、メディアプリント機能を使用して、メモリカード１４ａ内に記憶される画像データをＬＣＤ１６に表示させ、その中から所望する画像データを選択してプリンタ２１により印刷することができる。また、メモリカード１４ａには、スキャナ２０で読み取られた画像データを記憶することもできる。メモリカード１４ａとしては、例えば、コンパクトフラッシュ（登録商標）、スマートメディア（登録商標）、メモリスティック（登録商標）、ＳＤカード（登録商標）、ｘＤ（登録商標）などが該当する。
【００３３】
ＭＦＰ１の側部には、送受話器２２が設けられている。この送受話器２２は、ユーザが電話機能を使用して、電話回線網１００（図２参照）を介して接続される外部装置との間で通話を行う場合に使用される。非通話時には、送受話器２２はフック（図示しない）が設けられた載置台上に置かれ、通話時には載置台から取り上げられて使用される。尚、本実施形態では、前者をオンフック状態、後者をオフフック状態と称す。送受話器２２は、オフフック状態となるとＮＣＵ２３（図２参照）と電気的に接続され、オンフック状態となると、ＮＣＵ２３との接続が解除される。
【００３４】
次に、図２を参照して、ＭＦＰ１の電気的構成について説明する。
【００３５】
図２は、ＭＦＰ１の電気的構成を示すブロック図である。ＭＦＰ１は、ＣＰＵ１１、ＲＯＭ１２、ＲＡＭ１３、メモリカードスロット１４、操作キー１５、ＬＣＤ１６、タッチパネル１７、計時回路１８、スキャナ２０、プリンタ２１、送受話器２２、ＮＣＵ２３、モデム２４とを主に有している。
【００３６】
ＣＰＵ１１、ＲＯＭ１２、ＲＡＭ１３は、バスライン２６を介して互いに接続されている。また、メモリカードスロット１４、操作キー１５、ＬＣＤ１６、タッチパネル１７、計時回路１８、スキャナ２０、プリンタ２１、送受話器２２、ＮＣＵ２３、モデム２４、バスライン２６は、入出力ポート２７を介して互いに接続されている。
【００３７】
ＣＰＵ１１は、ＲＯＭ１２やＲＡＭ１３に記憶される固定値やプログラム或いは、ＮＣＵ２３を介して送受信される各種信号に従って、ＭＦＰ１が有している各機能の制御や、入出力ポート２７と接続された各部を制御するものである。ＲＯＭ１２は、ＭＦＰ１で実行される制御プログラムなどを格納した書換不能なメモリである。図４〜図６のフローチャートに示すメイン処理を実行するプログラムは、このＲＯＭ１２に格納されている。
【００３８】
ＲＡＭ１３は、書き替え可能な揮発性のメモリであり、ＭＦＰ１の各操作の実行時に各種のデータを一時的に記憶するためのメモリである。ＲＡＭ１３には、ＭＦＰ１が有する各機能が実行可能であるか否かを示す動作状態フラグを、機能毎に記憶するための動作状態フラグメモリ１３ａが設けられている。
【００３９】
ここで、図３を参照して、動作状態フラグメモリ１３ａについて説明する。図３は、動作状態フラグメモリ１３ａの内容の一例を示す概略図である。動作状態フラグメモリ１３ａは、ＭＦＰ１が有する各機能が実行可能であるか否かを示す動作状態フラグを、機能毎に記憶するためのメモリである。
【００４０】
図３に示すように、動作状態フラグメモリ１３ａは、ビット０からビット７までの８ビット（１バイト）で構成されており、ビット０からビット５までの各ビットが、各機能が実行可能であるか否かを示す動作状態フラグである。具体的には、ビット０はコピー機能が実行可能であるか否かを示しており、以下同様に、ビット１はファクシミリ機能が、ビット２は電話機能が、ビット３はスキャナ機能が、ビット４はメディアプリント機能が、ビット５はＰＣプリント機能が実行可能であるか否かを示している。
【００４１】
なお、動作状態フラグが「０」に設定されていれば、その動作状態フラグに対応する機能が実行可能であることを示し、逆に、動作状態フラグが「１」に設定されていれば、その動作状態フラグに対応する機能が実行不可であることを示す。図３は、スキャナ機能と、電話機能と、ファクシミリ機能とが実行可能であることを示しており、ＰＣプリント機能と、メディアプリント機能と、コピー機能とが実行不可であることを示している。
【００４２】
ユーザによってある機能が実行された場合は、その実行された機能の動作状態フラグが「１」に設定され、それに加えて、実行された機能と同時に実行できない各機能の動作状態フラグも「１」に設定される。逆に、実行されていた機能が終了した場合は、実行が終了した機能の動作状態フラグが「０」に設定され、さらに、実行中の機能と同時に実行可能な各機能の動作状態フラグも「０」に設定される。
【００４３】
例えば、何れの機能も実行されていない場合に、ユーザによりＰＣプリント機能が実行されたとすると、ＰＣプリント機能の動作状態フラグが「１（実行不可）」に設定される。ＰＣプリント機能は、プリンタ２１を使用するため、プリンタ２１を使用する他の機能（メディアプリント機能、コピー機能）の動作状態フラグも「１（実行不可）」に設定される。
【００４４】
そして、実行されていたＰＣプリント機能が終了すると、ＰＣプリント機能の動作状態フラグが「０（実行可能）」に設定され、メディアプリント機能およびコピー機能の動作状態フラグも「０（実行可能）」に設定される。
【００４５】
ここで、図２の説明に戻る。計時回路１８は、現在の日時を刻む時計機能を有する既知の回路である。ＮＣＵ２３は、電話回線網１００と接続されており、電話回線網１００へのダイヤル信号の送出や、電話回線網１００からの呼出信号の応答などの制御を行うものである。モデム２４は、ファクシミリ機能により送信が指示された画像データを、電話回線網１００に伝送可能な信号に変調してＮＣＵ２３を介して送信したり、電話回線網１００からＮＣＵ２３を介して入力された信号を受信し、ＬＣＤ１６に表示したりプリンタ２１で記録可能な画像データに復調するものである。
【００４６】
次に、図４〜図６を参照して、ＭＦＰ１のＣＰＵ１１により実行されるメイン処理について説明する。図４〜図６は、ＭＦＰ１のメイン処理を示すフローチャートである。このメイン処理は、実行中の機能に影響を及ぼさない他の機能が、ユーザによって実行される度に、実行された機能の操作画面と、既に実行中である機能の操作画面とをそれぞれ同時にＬＣＤ１６に表示するための処理であり、ＭＦＰ１の主電源が投入されてから主電源が遮断されるまで繰り返し実行される処理である。
【００４７】
メイン処理では、まず、動作状態フラグメモリ１３ａを初期化して（Ｓ１）、ＬＣＤ１６に時刻などの待機画面を表示する（Ｓ２）。図７（ａ）は、待機画面の一例を示すイメージ図である。図７（ａ）に示すように、待機画面には、計時回路１８より取得される現在の日付および時刻とが表示されている。
【００４８】
次に、ユーザによりタッチパネル１７が触れられるまで待機し（Ｓ３：Ｎｏ）、ユーザによりタッチパネル１７が触れられた場合は（Ｓ３：Ｙｅｓ）、ＬＣＤ１６の画面全体にユーザが実行させる機能を選択するための機能選択画面を表示する（Ｓ４）。
【００４９】
この機能選択画面について、図７（ｂ）を参照して説明する。図７（ｂ）は機能選択画面の一例を示すイメージ図である。この機能選択画面は、ユーザがＭＦＰ１に対して、各機能の実行を指示するための画面である。ユーザは、この機能選択画面に従って入力操作することで、実行中の機能に影響を及ぼさない他の機能を複数同時に実行させることができる。
【００５０】
機能選択画面には、ユーザがＭＦＰ１に対しＰＣプリント機能の実行を指示するＰＣ  ＰｒｉｎｔボタンＢＴ１、メディアプリント機能の実行を指示するＭｅｄｉａ  ＰｒｉｎｔボタンＢＴ２、スキャナ機能の実行を指示するＳｃａｎボタンＢＴ３、電話機能の実行を指示するＰｈｏｎｅボタンＢＴ４、ファクシミリ機能の実行を指示するＦａｘボタンＢＴ５、コピー機能の実行を指示するＣｏｐｙボタンＢＴ６、機能選択画面の表示を取り消すキャンセルボタンＣＢとが主に設けられている。
【００５１】
ユーザによって、各ボタンＢＴ１〜ＢＴ６が指で触れられると、ＭＦＰ１は、その触れられた各ボタンＢＴ１〜ＢＴ６に対応する機能を実行する。例えば、ユーザによってＰｈｏｎｅボタンＢＴ４が触れられると、ＭＦＰ１は電話機能を実行する。
【００５２】
ここで、図４のフローチャートの説明に戻る。Ｓ４の処理が終了すると、次に、ユーザにより、各機能の実行を指示する各ボタンＢＴ１〜ＢＴ６が押下され、実行する機能が選択されたかを判定し（Ｓ５）、ユーザによりキャンセルボタンＣＢなどが押下されて選択が中止されたり、所定の時間（例えば、３０秒）が経過しても実行する機能が選択されなかった場合などは（Ｓ５：Ｎｏ）、Ｓ２の処理に戻り、Ｓ２〜Ｓ５の各処理を繰り返す。
【００５３】
一方、ユーザにより、実行する機能が選択された場合は（Ｓ５：Ｙｅｓ）、ユーザにより選択された機能を実行し、その機能の操作画面をＬＣＤ１６の画面全体に表示し（Ｓ６）、動作状態フラグメモリ１３ａにおいて、実行した機能および実行した機能と同時に実行できない機能の動作状態フラグを「１」に設定する（Ｓ７）。
【００５４】
例えば、図７（ｂ）に示す機能選択画面において、ユーザによりＰｈｏｎｅボタンＢＴ４が押下されたとすると、ＭＦＰ１により電話機能が実行され、図７（ｃ）に示すようにＬＣＤ１６の画面全体に電話機能の操作画面が表示される。
【００５５】
図７（ｃ）は、電話機能の操作画面の一例を示すイメージ図である。図７（ｃ）に示すように、電話機能の操作画面には、通話の音量を調整する音量調整ボタンや、予め登録された電話番号を表示する電話帳ボタンや、通話を録音する通話録音ボタンなどが設けられており、ユーザは各ボタンを操作することにより、電話機能に関する設定や操作を行うことができる。なお、ＬＣＤ１６の画面全体に操作画面が表示される場合には、必ず、機能選択画面を表示するための他機能使用ボタンＴＢが設けられる。
【００５６】
そして、動作状態フラグメモリ１３ａにおいて、電話機能の動作状態フラグが「１（実行不可）」に設定され、さらに、ＮＣＵ２３を使用する他の機能（ファクシミリ機能）の動作状態フラグも「１（実行不可）」に設定される。
【００５７】
実行した機能（電話機能）および実行した機能と同時に実行できない機能（ファクシミリ機能）の動作状態フラグを「１」に設定して、動作状態フラグが「１」である機能が新たに実行されることを禁止（本実施形態では、選択不可に）することにより、同一の機能の操作画面がＬＣＤ１６に複数表示されることを防止することができる。また、実行中の機能に影響を及ぼさない他の機能を、複数同時に実行させることができる。
【００５８】
ここで、図４のフローチャートの説明に戻る。Ｓ７の処理が終了すると、次に、実行中の機能が終了したかを判定する（Ｓ８）。Ｓ８の処理において、実行中の機能が終了した場合は（Ｓ８：Ｙｅｓ）、動作状態フラグメモリ１３ａにおいて、実行が終了した機能および実行が終了した機能と同時に実行できない機能の動作状態フラグを「０」に設定し（Ｓ９）、Ｓ２の処理に戻り、上述したＳ２〜Ｓ９の各処理を繰り返す。Ｓ８の処理において、実行中の機能が終了していない場合、つまり、１つの機能が実行中である場合は（Ｓ８：Ｎｏ）、ユーザにより他機能使用ボタンＴＢが押下されたかを判定し（Ｓ１０）、他機能使用ボタンＴＢが押下されていない場合は（Ｓ１０：Ｎｏ）、Ｓ８の処理に戻り、Ｓ８およびＳ１０の各処理を繰り返す。
【００５９】
一方、他機能使用ボタンＴＢが押下された場合は（Ｓ１０：Ｙｅｓ）、ＬＣＤ１６の画面を小さな画面の第１領域（図７（ｄ）参照）と、大きな画面の第２領域とに分割し、第１領域に実行中の機能の操作画面を表示し、第２領域に機能選択画面を表示する（Ｓ１１）。そして、動作状態フラグメモリ１３ａの内容に応じて、機能選択画面において、実行可能な機能の各ボタンＢＴ１〜ＢＴ６と、実行中の機能と同時に実行できない機能の各ボタンＢＴ１〜ＢＴ６とを、それぞれ異なる態様で表示する（Ｓ１２）。
【００６０】
例えば、図７（ｃ）に示すように、ＭＦＰ１において電話機能のみが実行されている場合に、ユーザにより他機能使用ボタンＴＢが押下されると、ＬＣＤ１６において画面が分割されて、図７（ｄ）に示すように、電話機能の操作画面と機能選択画面とがそれぞれ同時に表示される。
【００６１】
図７（ｄ）は、電話機能の操作画面と機能選択画面とがそれぞれ同時に表示された表示画面の一例を示すイメージ図である。図７（ｄ）に示すように、ＬＣＤ１６の画面は、小さな画面の第１領域と、大きな画面の第２領域とに分割され、小さな画面の第１領域に実行中である電話機能の操作画面が表示され、大きな画面の第２領域に機能選択画面が表示される。
【００６２】
ユーザは、１つの機能（電話機能）の操作画面が表示中であっても、即ち、１つの機能が実行中であっても、他機能使用ボタンＴＢを押下することにより、実行中の機能（電話機能）の操作画面と、機能選択画面とをそれぞれ同時にＬＣＤ１６に表示させることができるので、使い勝手が良い。
【００６３】
そして、動作状態フラグメモリ１３ａに記憶される各機能の動作状態フラグが読み取られ、各機能が実行可能か否かが判定される。即ち、動作状態フラグが「０（実行可能」に設定されている機能（ＰＣプリント機能、メディアプリント機能、スキャナ機能、コピー機能）が、実行可能な機能であると判断される。そして、第２領域に表示される機能選択画面では、実行可能な機能（ＰＣプリント機能、メディアプリント機能、スキャナ機能、コピー機能）の各ボタンＢＴ１〜ＢＴ３，ＢＴ６と、実行中の機能と同時に実行できない機能（電話機能、ファクシミリ機能）の各ボタンＢＴ３，ＢＴ４とが、それぞれ異なる態様で表示される。本実施形態では、実行可能な機能の各ボタンは白く表示され、実行できない機能の各ボタンは黒く表示される。
【００６４】
よって、この機能選択画面では、実行可能な機能（ＰＣプリント機能、メディアプリント機能、スキャナ機能、コピー機能）の各ボタンＢＴ１〜ＢＴ３，ＢＴ６と、実行中の機能と同時に実行できない機能（電話機能、ファクシミリ機能）の各ボタンＢＴ３，ＢＴ４とが、それぞれ異なる態様で表示されるので、ユーザは、各ボタンＢＴ１〜ＢＴ６の態様を確認することで、実行可能な機能と、実行できない機能とを一見して確認することができ、使い勝手が良い。
【００６５】
また、この機能選択画面は、大きな画面の第２領域に表示されるので、ユーザは、大きくて見易い機能選択画面に従って、実行可能な機能と、実行できない機能とを確認したり、新たに実行させる機能を選択することができるので、使い勝手が良い。
【００６６】
一方、本実施形態の変形例として、この機能選択画面に、実行可能な機能の各ボタンＢＴ１〜ＢＴ６のみを表示させて、ユーザが実行可能な機能を確認できるように構成しても良い。その場合は、機能選択画面に実行できない機能の各ボタンＢＴ１〜ＢＴ６が表示されないために、ユーザによって、ＭＦＰ１がその表示されていない機能を有していないと誤認されることがあると考えられるので、好適には、全ての機能について、各機能が実行可能であるか、実行不可であるかを表示するのが良い。そうすることで、ユーザによってＭＦＰ１が各機能を有してないと誤認されることを抑制することができる。
【００６７】
ここで、図４のフローチャートの説明に戻る。Ｓ１２の処理が終了すると、次に、ユーザにより、実行可能な機能の各ボタンＢＴ１〜ＢＴ６が押下され、実行する機能が選択されたかを判定する（Ｓ１３）。Ｓ１３の処理において、ユーザによりキャンセルボタンＣＢなどが押下されて選択が中止されたり、所定の時間（例えば、３０秒）が経過しても実行する機能が選択されなかった場合などは（Ｓ１３：Ｎｏ）、Ｓ８の処理に戻り、上述したＳ８〜Ｓ１３の各処理を繰り返す。なお、Ｓ１３の処理において、実行できない機能の各ボタンＢＴ１〜ＢＴ６が押下された場合は、何もせずに、Ｓ１３の処理を繰り返す。
【００６８】
または、ユーザが選択した機能が実行不可である旨をＬＣＤ１６に表示するなどして、ユーザに報知しても良い。一方、ユーザにより実行する機能が選択された場合は（Ｓ１３：Ｙｅｓ）、ユーザにより選択された機能を実行し、その機能の操作画面をＬＣＤ１６の第２領域に表示する（Ｓ１４）。そして、動作状態フラグメモリ１３ａにおいて、新たに実行した機能および新たに実行した機能と同時に実行できない機能の動作状態フラグを「１」に設定する（Ｓ１５）。
【００６９】
例えば、図７（ｄ）に示す機能選択画面において、ユーザによりＭｅｄｉａ  ＰｒｉｎｔボタンＢＴ２が押下されると、ＭＦＰ１によりメディアプリント機能が実行され、図８（ａ）に示すように、機能選択画面が表示されていた第２領域にメディアプリント機能の操作画面が表示される。
【００７０】
図８（ａ）は、電話機能の操作画面とメディアプリント機能の操作画面とがそれぞれ同時に表示された表示画面の一例を示すイメージ図である。図８（ａ）に示すように、小さな画面の第１領域には、既に実行中である電話機能の操作画面が表示され、大きな画面の第２領域には、メディアプリント機能の操作画面が表示される。なお、第２領域に表示される操作画面には、必ず、他機能使用ボタンＴＢと、各操作画面の大きさを切り替える画面切替ボタンＧＢとが設けられる。
【００７１】
複数の機能（電話機能およびメディアプリント機能）が同時に実行される場合に、実行中の各機能（電話機能およびメディアプリント機能）の操作画面がそれぞれ同時にＬＣＤ１６に表示されるので、予め各機能（電話機能、ファクシミリ機能、ＰＣプリント機能、メディアプリント機能、スキャナ機能、コピー機能）の操作画面をそれぞれ同時にＬＣＤ１６に表示しておくよりも、ユーザが、実行中の各機能の操作画面を見易く使い勝手が良い。
【００７２】
特に、ＬＣＤ１６の表示画面の大きさが制限される場合であれば、予め各機能の操作画面をそれぞれ同時に表示するよりも、新たに機能が実行される度に、新たに実行される機能の操作画面と既に実行中である機能の操作画面とを同時に表示した方が、各機能の操作画面を大きく表示できるので、ユーザが各機能の操作画面を見易く使い勝手が良い。また、新たに実行した機能（メディアプリント機能）の操作画面が、大きな画面の第２領域に表示されるので、ユーザは、大きくて見易い操作画面に従って、新たに実行させた機能の操作を行うことができ、操作し易く使い勝手が良い。
【００７３】
そして、動作状態フラグメモリ１３ａにおいて、メディアプリント機能の動作状態フラグが「１（実行不可）」に設定される。メディアプリント機能は、プリンタ２１を使用するため、ＰＣプリント機能またはコピー機能と同時に実行できない。即ち、プリンタ２１を使用する他の機能（ＰＣプリント機能、コピー機能機能）の動作状態フラグも「１（実行不可）」に設定される。即ち、スキャナ機能の動作状態フラグをを除いて、全て「１（実行不可）」とされる。
【００７４】
ここで、図５のフローチャートの説明に戻る。Ｓ１５の処理が終了すると、次に、ユーザにより画面切替ボタンＧＢが押下されたかを判定し（Ｓ１６）、画面切替ボタンＧＢが押下されなかった場合は（Ｓ１６：Ｎｏ）、Ｓ１７の処理をスキップし、Ｓ１８の処理へ移行する。一方、画面切替ボタンＧＢが押下された場合は（Ｓ１６：Ｙｅｓ）、ＬＣＤ１６の画面の第１領域に表示される操作画面と、第２領域に表示される操作画面とを入れ替えて表示する（Ｓ１７）。
【００７５】
よって、複数の機能が同時に実行されている場合に、ユーザは、画面切替ボタンＧＢを押下することによって、複数の機能のうちの何れか１つの機能の操作画面を第２領域に表示させることができる。即ち、ユーザは、所望する機能の操作画面を大きな画面の第２領域に表示させ、その大きくて見易い操作画面に従って、所望する機能の操作を行うことができるので、操作し易く使い勝手が良い。
【００７６】
そして、実行中の機能のうち一方の機能が終了したかを判定し（Ｓ１８）、一方の機能が終了した場合は（Ｓ１８：Ｙｅｓ）、ＭＦＰ１において１つの機能のみが実行されることとなり、その実行中の機能の操作画面をＬＣＤ１６の画面全体に表示する（Ｓ１９）。よって、複数の機能が同時に実行されている場合に、実行されていた機能が終了すると、実行が終了した機能の操作画面がＬＣＤ１６から削除され、実行中の機能の操作画面が大きく表示されるので、ユーザは、その大きく表示され見易くなった操作画面に従って、実行中の機能を操作することができ、使い勝手が良い。
【００７７】
次に、動作状態フラグメモリ１３ａにおいて、実行が終了した機能および実行中の機能と同時に実行可能な機能の動作状態フラグを「０」に設定し（Ｓ２０）、Ｓ８の処理に戻り、上述したＳ８〜Ｓ２０の各処理を繰り返す。Ｓ１８の処理において、実行中の機能が終了していない場合、つまり、２つの機能が実行中である場合は（Ｓ１８：Ｎｏ）、ユーザにより他機能使用ボタンＴＢが押下されたかを判定し（Ｓ２１）、他機能使用ボタンＴＢが押下されていない場合は（Ｓ２１：Ｎｏ）、Ｓ１６の処理に戻り、Ｓ１６〜Ｓ２１の各処理を繰り返す。
【００７８】
一方、他機能使用ボタンＴＢが押下された場合は（Ｓ２１：Ｙｅｓ）、小さな画面の第１領域を、２つの均等な大きさの領域（第３領域と、第４領域と）に分割し、第３領域に先に実行した実行中の機能の操作画面を表示し、第４領域に後で実行した実行中の機能の操作画面を表示し、大きな画面の第２領域に機能選択画面を表示する（Ｓ２２）。そして、動作状態フラグメモリ１３ａの内容に応じて、機能選択画面において、実行可能な機能の各ボタンＢＴ１〜ＢＴ６と、実行中の機能と同時に実行できない機能の各ボタンＢＴ１〜ＢＴ６とを、それぞれ異なる態様で表示する（Ｓ２３）。
【００７９】
例えば、図８（ａ）に示すように、ＭＦＰ１において電話機能およびメディアプリント機能が実行されている場合に、ユーザにより他機能使用ボタンＴＢが押下されると、図８ｂ）に示すように、ＬＣＤ１６において画面が分割されて、電話機能の操作画面と、メディアプリント機能の操作画面と、機能選択画面とがそれぞれ同時に表示される。
【００８０】
図８（ｂ）は、電話機能の操作画面と、メディアプリント機能の操作画面と、機能選択画面とがそれぞれ同時に表示された表示画面の一例を示すイメージ図である。図８（ｂ）に示すように、小さな画面の第１領域が、均等な大きさ画面である第３領域および第４領域に分割される。第３領域には、先に実行した電話機能の操作画面が表示され、第４領域には、後で実行したメディアプリント機能の操作画面が表示され、第２領域には機能選択画面が表示される。
【００８１】
ユーザは、２つの機能（電話機能およびメディアプリント機能）の操作画面が表示中であっても、即ち、２つの機能が実行中であっても、他機能使用ボタンＴＢを押下することにより、実行中の各機能（電話機能およびメディアプリント機能）の操作画面と、機能選択画面とをそれぞれ同時にＬＣＤ１６に表示させることができるので、使い勝手が良い。
【００８２】
そして、動作状態フラグメモリ１３ａに記憶される各機能の動作状態フラグが読み取られ、各機能が実行可能か否かが判定される。即ち、動作状態フラグが「０（実行可能）」に設定されている機能（スキャナ機能）が、実行可能な機能であると判断される。そして、第２領域に表示される機能選択画面では、実行可能な機能（スキャナ機能）のＳｃａｎボタンＢＴ３と、実行中の機能と同時に実行できない機能（ＰＣプリント機能、メディアプリント機能、電話機能、ファクシミリ機能、コピー機能）の各ボタンＢＴ１，ＢＴ２，ＢＴ４〜ＢＴ６とが、それぞれ異なる態様で表示される。
【００８３】
よって、この機能選択画面では、実行可能な機能（スキャナ機能）のＳｃａｎボタンＢＴ３と、実行中の機能と同時に実行できない機能（ＰＣプリント機能、メディアプリント機能、電話機能、ファクシミリ機能、コピー機能）の各ボタンＢＴ１，ＢＴ２，ＢＴ４〜ＢＴ６とが、それぞれ異なる態様で表示されるので、ユーザは、各ボタンＢＴ１〜ＢＴ６の態様を確認することで、実行可能な機能と、実行できない機能とを一見して確認することができ、使い勝手が良い。また、この機能選択画面は、大きな画面の第２領域に表示されるので、ユーザは、大きくて見易い機能選択画面に従って、実行可能な機能と、実行できない機能とを確認したり、新たに実行させる機能を選択することができるので、使い勝手が良い。
【００８４】
ここで、図５のフローチャートの説明に戻る。Ｓ２３の処理が終了すると、次に、ユーザにより、実行可能な機能の各ボタンＢＴ１〜ＢＴ６が押下され、実行する機能が選択されたかを判定し（Ｓ２４）、ユーザによりキャンセルボタンＣＢなどが押下されて選択が中止されたり、所定の時間（例えば、３０秒）が経過しても実行する機能が選択されなかった場合などは（Ｓ２４：Ｎｏ）、Ｓ１６の処理に戻り、上述したＳ１６〜Ｓ２４の各処理を繰り返す。
【００８５】
一方、ユーザにより、実行する機能が選択された場合は（Ｓ２４：Ｙｅｓ）、ユーザにより選択された機能を実行し、その機能の操作画面をＬＣＤ１６の第２領域に表示する（Ｓ２５）。そして、動作状態フラグメモリ１３ａにおいて、新たに実行した機能および新たに実行した機能と同時に実行できない機能の動作状態フラグを「１」に設定する（Ｓ２６）。
【００８６】
例えば、図８（ｂ）に示す機能選択画面において、ユーザによりＳｃａｎボタンＢＴ３が押下されると、ＭＦＰ１によりスキャナ機能が実行され、図８（ｃ）に示すように、機能選択画面が表示されていた第２領域にスキャナ機能の操作画面が表示される。
【００８７】
図８（ｃ）は、電話機能の操作画面と、メディアプリント機能の操作画面と、スキャナ機能の操作画面とがそれぞれ同時に表示された表示画面の一例を示すイメージ図である。図８（ｃ）に示すように、第３領域には、先に実行した電話機能の操作画面が表示され、第４領域には、後で実行したメディアプリント機能の操作画面が表示され、大きな画面の第２領域には、スキャナ機能の操作画面が表示される。なお、第２領域に表示される操作画面には、必ず、他機能使用ボタンＴＢと、画面切替ボタンＧＢとが設けられる。
【００８８】
新たに実行した機能（スキャナ機能）の操作画面が、大きな画面の第２領域に表示されるので、ユーザは、大きくて見易い操作画面に従って、新たに実行させた機能の操作を行うことができ、操作し易く使い勝手が良い。
【００８９】
そして、動作状態フラグメモリ１３ａにおいて、スキャナ機能の動作状態フラグが「１（実行不可）」に設定される。つまり、全ての機能の動作状態フラグが「１（実行不可）」とされる。ちなみに、スキャナ機能は、画像を読み取るファクシミリ機能またはコピー機能と同時に実行できない。
【００９０】
ここで、図６のフローチャートの説明に戻る。Ｓ２６の処理が終了すると、次に、ユーザにより画面切替ボタンＧＢが押下されたかを判定し（Ｓ２７）、ユーザにより画面切替ボタンＧＢが押下されなかった場合は（Ｓ２７：Ｎｏ）、Ｓ２８の処理をスキップし、Ｓ２９の処理へ移行する。一方、画面切替ボタンＧＢが押下された場合は（Ｓ２７：Ｙｅｓ）、ＬＣＤ１６の画面の第３領域に表示される操作画面を第２領域に表示し、第２領域に表示される操作画面を第４領域に表示し、第４領域に表示される操作画面を第３領域に表示する（Ｓ２８）。
【００９１】
例えば、図８（ｃ）に示す操作画面において、ユーザにより画面切替ボタンＧＢが押下されると、図８（ｄ）に示すように、ＬＣＤ１６の画面の第３領域に表示されている電話機能の操作画面が、大きい画面の第２領域に表示され、第２領域に表示されるスキャナ機能の操作画面が、第４領域に表示され、第４領域に表示されているメディアプリント機能の操作画面が、第３領域に表示される。
【００９２】
よって、複数の機能が同時に実行されている場合に、ユーザは、画面切替ボタンＧＢを押下することによって、複数の機能のうちの何れか１つの機能の操作画面を第２領域に表示させることができる。即ち、ユーザは、所望する機能の操作画面を大きな画面の第２領域に表示させ、その大きくて見易い操作画面に従って、所望する機能の操作を行うことができるので、操作し易く使い勝手が良い。
【００９３】
ここで、図６のフローチャートの説明に戻る。Ｓ２７の処理またはＳ２８の処理が終了すると、次に、実行中の機能のうち、何れか１つの機能が終了したかを判定し（Ｓ２９）、実行中の機能が終了していない場合、つまり、３つの機能が実行中である場合は（Ｓ２９：Ｎｏ）、Ｓ２７の処理に戻り、Ｓ２７〜２９の各処理を繰り返す。一方、実行中の機能のうち、何れか１つの機能が終了した場合は（Ｓ２９：Ｙｅｓ）、ＬＣＤ１６の画面の第２領域に操作画面を表示した機能が終了したかを判定する（Ｓ３０）。
【００９４】
Ｓ３０の処理において、第２領域に操作画面を表示した機能が終了した場合は（Ｓ３０：Ｙｅｓ）、ＬＣＤ１６の画面の第４領域に表示される操作画面を第２領域に表示し、第３領域に表示される操作画面を第１領域に表示する（Ｓ３１）。一方、第２領域に操作画面を表示した機能が終了していない場合は（Ｓ３１：Ｎｏ）、ＬＣＤ１６の画面の第３領域または第４領域に表示される操作画面のうち、実行中である機能の操作画面を第１領域に表示する（Ｓ３２）。つまり、実行が終了した機能の操作画面がＬＣＤ１６から削除され、実行中の機能の操作画面が大きく表示されるので、ユーザは、その大きく表示され見易くなった操作画面に従って、実行中の機能を操作することができ、使い勝手が良い。
【００９５】
そして、動作状態フラグメモリ１３ａにおいて、実行が終了した機能および実行中の機能と同時に実行可能な機能の動作状態フラグを「０」に設定し（Ｓ３３）、Ｓ１６の処理に戻り、上述したＳ１６〜Ｓ３３の各処理を繰り返す。
【００９６】
例えば、図８（ｄ）に示す操作画面において、実行されていた電話機能が終了すると、図９（ａ）に示すように、まず、第２領域に表示されていた電話機能の操作画面が削除される。そして、第４領域に表示されているスキャナ機能の操作画面が、大きな画面の第２領域に表示され、第３領域に表示されているメディアプリント機能の操作画面が、第１領域に表示される。
【００９７】
そして、動作状態フラグメモリ１３ａにおいて、実行が終了した電話機能の動作状態フラグが「０（実行可能）」に設定される。この場合、実行中の機能（メディアプリント機能、スキャナ機能）と同時に実行可能な機能は、電話機能のみであるので、その他の機能の動作状態フラグは変更されない。
【００９８】
ここで、メディアプリント機能の実行が終了すると、図９（ｂ）に示すように、第１領域に表示されているメディアプリント機能の操作画面が削除される。そして、第２表示領域に表示されているスキャナ機能の操作画面がＬＣＤ１６の画面全体に表示される。
【００９９】
そして、動作状態フラグメモリ１３ａにおいて、実行が終了したメディアプリント機能の動作状態フラグが「０（実行可能）」に設定される。この場合、メディアプリント機能を除いて、実行中機能（スキャナ機能）と同時に実行可能な機能は、ＰＣプリント機能のみであるので、ＰＣプリント機能の動作状態フラグが「０（実行可能）」に設定される。
【０１００】
続けて、スキャナ機能が終了すると、ＬＣＤ１６には、図７（ａ）に示す待機画面が表示され、動作状態フラグメモリ１３ａにおいて、実行が終了したスキャナ機能の動作状態フラグが「０（実行可能）」に設定され、その他の機能（ファクシミリ機能、コピー機能）の動作状態フラグも「０（実行可能）」に設定される。つまり、全ての動作状態フラグが「０（実行可能）」と設定される。
【０１０１】
この図４〜図６のフローチャートのメイン処理により、実行中の機能に影響を及ぼさない他の機能が、ユーザによって実行される度に、実行された機能の操作画面と、既に実行中である機能の操作画面とをそれぞれ同時にＬＣＤ１６に表示することができる。また、複数の機能が実行されている場合に実行された機能が終了すると、その実行が終了した機能の操作画面をＬＣＤ１６から削除して、実行中の機能の操作画面を大きく、それぞれ同時に表示することができる。
【０１０２】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【０１０３】
例えば、上記実施形態では、ＬＣＤ１６の画面を、第１領域および第２領域の２つ、または、第２領域、第３領域および第４領域の３つに分割したが、新たに機能が実行される度に、さらに分割を繰り返し、３以上の機能の操作画面をそれぞれ同時にＬＣＤ１６に表示しても良い。
【０１０４】
また、上記実施形態では、ＬＣＤ１６の画面を、小さな画面の第１領域（第３領域や第４領域）と、大きな画面の第２領域とに分割したが、図９（ｃ）に示すように、均等な大きさの画面に分割しても良い。そして、新たに機能が実行される度に、均等な大きさの画面となるように分割を繰り返しても良い。画面の大きさに制限がある場合は、分割数が多くなると文字などの表示が小さくなり見づらくなる場合も考えられるので、画面の分割を制限しても良い。
【０１０５】
また、上記実施形態では、ＬＣＤ１６の画面が分割された場合、実行した機能の順序に従って、各機能の操作画面が分割された各画面にそれぞれ対応づけられて表示されるが、電話機能が使用されている場合は、図９（ｃ）に示すように、送受話器２２が配設された側の分割画面や、送受話器２２が配設された位置に最も近い分割画面に、電話機能の操作画面を表示しても良い。ユーザは、送受話器２２を使用して通話を行う場合に、送受話器２２の近くに電話機能の操作画面が表示されるので、見易く操作しやすい。
【図面の簡単な説明】
【０１０６】
【図１】本発明の実施形態におけるＭＦＰの外観構成を示した斜視図である。
【図２】ＭＦＰの電気的構成を示すブロック図である。
【図３】動作状態フラグメモリの内容の一例を示す概略図である。
【図４】ＭＦＰのメイン処理を示すフローチャートである。
【図５】ＭＦＰのメイン処理を示すフローチャートである。
【図６】ＭＦＰのメイン処理を示すフローチャートである。
【図７】待機画面、機能選択画面、操作画面などの表示画面の一例を示すイメージ図    である。
【図８】操作画面、機能選択画面などの表示画面の一例を示すイメージ図である。
【図９】操作画面、機能選択画面などの表示画面の一例を示すイメージ図である。
【符号の説明】
【０１０７】
１              ＭＦＰ
１３ａ          動作状態フラグメモリ（記憶手段）
１４            メモリカードスロット
１４ａ          メモリカード
１６            ＬＣＤ（表示手段）
１７            タッチパネル
２０            スキャナ
２１            プリンタ
２２            送受話器
２３            ＮＣＵ
１００          電話回線網
Ｓ５，Ｓ１３，Ｓ２４    実行機能検出手段
Ｓ１１，Ｓ１２，Ｓ１４，Ｓ１７，Ｓ１９，Ｓ２２，Ｓ２３，Ｓ２５，Ｓ２８，Ｓ３１，Ｓ３２                  表示制御手段
Ｓ８，Ｓ１８，Ｓ２９    判断手段
Ｓ１０，Ｓ２１          表示指示検出手段
Ｓ１２，Ｓ２３          第２の画像生成手段
Ｓ１６，Ｓ２７          変更指示検出手段
【図１】
0004475300.tif 000002
【図２】
0004475300.tif 000003
【図３】
0004475300.tif 000004
【図４】
0004475300.tif 000005
【図５】
0004475300.tif 000006
【図６】
0004475300.tif 000007
【図７】
0004475300.tif 000008
【図８】
0004475300.tif 000009
【図９】
0004475300.tif 000010